(57)【要約】【課題】多値情報の再生時に光り強度が記録時よりも弱いサブビームを使ってメインビームのクロストークをキャンセルする。【解決手段】多値情報を記録した情報記録媒体５上にメインビームとサブビームからなる複数のビームを相対的に動かし、メインビームを情報記録媒体５上の再生するトラック上に照射し、サブビームをメインビームを照射したトラックに隣接するトラック上に照射し、アナログ回路１２によってサブビームの反射光又は透過光を量子化するレベルの数をメインビームの反射光又は透過光を量子化するレベルの数よりも少なくし、サブビームの反射光又は透過光を用いてメインビームの反射光又は透過光に対するクロストークをキャンセルする。【選択図】　　　図１
2004111002.tif 000002
【特許請求の範囲】
【請求項１】
多値情報を記録した情報記録媒体上にメインビームとサブビームからなる複数のビームを相対的に動かし、前記メインビームを前記情報記録媒体上の再生するトラック上に照射し、前記サブビームを前記メインビームを照射したトラックに隣接するトラック上に照射し、前記サブビームの反射光又は透過光を用いて前記メインビームの反射光又は透過光に対するクロストークをキャンセルし、前記メインビームとサブビームの反射光又は透過光を用いて前記情報記録媒体上に記録された多値情報を再生する情報再生装置において、
前記サブビームの反射光又は透過光を量子化するレベルの数を前記メインビームの反射光又は透過光を量子化するレベルの数よりも少なくする手段を設けたことを特徴とする情報再生装置。
【請求項２】
請求項１記載の情報再生装置において、
前記複数のビームの遅延時間に相当するクロック数分遅延させ、
前記サブビームの量子化結果に基づいて算出した所定値を前記メインビームの量子化結果に加算し、前記メインビームの反射光又は透過光に対するクロストークをキャンセルする手段を設けたことを特徴とする情報再生装置。
【請求項３】
請求項１記載の情報再生装置において、
前記複数のビームの遅延時間に相当するクロック数分遅延させ、
前記サブビームの量子化結果に基づいて算出した所定値を前記メインビームの量子化結果に加算し、前記メインビームの反射光又は透過光に対するクロストークをキャンセルする手段を設けたことを特徴とする情報再生装置。
【請求項４】
多値情報を記録した情報記録媒体上にメインビームとサブビームからなる複数のビームを相対的に動かし、前記メインビームを前記情報記録媒体上の再生するトラック上に照射し、前記サブビームを前記メインビームを照射したトラックに隣接するトラック上に照射し、前記サブビームの反射光又は透過光を用いて前記メインビームの反射光又は透過光に対するクロストークをキャンセルし、前記メインビームとサブビームの反射光又は透過光を用いて前記情報記録媒体上に記録された多値情報を再生する情報再生装置において、
前記サブビームの反射光又は透過光を前記メインビームの再生信号に同期させたクロック信号に基づいて量子化し、その量子化した連続する複数個の量子化レベルの平均値に基づいて前記メインビームの反射光又は透過光に対するクロストークをキャンセルする手段を設けたことを特徴とする情報再生装置。
【請求項５】
請求項４記載の情報再生装置において、
前記連続する複数個の量子化レベルはキャンセルする信号の前後あわせて３個であることを特徴とする情報再生装置。
【請求項６】
多値情報を記録した情報記録媒体上にメインビームとサブビームからなる複数のビームを相対的に動かし、前記メインビームを前記情報記録媒体上の再生するトラック上に照射し、前記サブビームを前記メインビームを照射したトラックに隣接するトラック上に照射し、前記サブビームの反射光又は透過光を用いて前記メインビームの反射光又は透過光に対するクロストークをキャンセルし、前記メインビームとサブビームの反射光又は透過光を用いて前記情報記録媒体上に記録された多値情報を再生する情報再生方法において、
前記サブビームの反射光又は透過光を量子化するレベルの数を前記メインビームの反射光又は透過光を量子化するレベルの数よりも少なくすることを特徴とする情報再生方法。
【請求項７】
多値情報を記録した情報記録媒体上にメインビームとサブビームからなる複数のビームを相対的に動かし、前記メインビームを前記情報記録媒体上の再生するトラック上に照射し、前記サブビームを前記メインビームを照射したトラックに隣接するトラック上に照射し、前記サブビームの反射光又は透過光を用いて前記メインビームの反射光又は透過光に対するクロストークをキャンセルし、前記メインビームとサブビームの反射光又は透過光を用いて前記情報記録媒体上に記録された多値情報を再生する情報再生方法において、
前記サブビームの反射光又は透過光を前記メインビームの再生信号に同期させたクロック信号に基づいて量子化し、その量子化した連続する複数個の量子化レベルの平均値に基づいて前記メインビームの反射光又は透過光に対するクロストークをキャンセルすることを特徴とする情報再生方法。
【請求項８】
多値情報を記録した情報記録媒体上にメインビームとサブビームからなる複数のビームを相対的に動かし、前記メインビームを前記情報記録媒体上の再生するトラック上に照射し、前記サブビームを前記メインビームを照射したトラックに隣接するトラック上に照射し、前記サブビームの反射光又は透過光を用いて前記メインビームの反射光又は透過光に対するクロストークをキャンセルし、前記メインビームとサブビームの反射光又は透過光を用いて前記情報記録媒体上に記録された多値情報を再生する情報再生方法において、
前記サブビームの反射光又は透過光の量子化結果から求めるメインビームの反射光又は透過光に対するクロストークのキャンセル量を前記情報記録媒体の種類毎に切り換えることを特徴とする情報再生方法。
【請求項９】
多値情報を記録した情報記録媒体上にメインビームとサブビームからなる複数のビームを相対的に動かし、前記メインビームを前記情報記録媒体上の再生するトラック上に照射し、前記サブビームを前記メインビームを照射したトラックに隣接するトラック上に照射し、前記サブビームの反射光又は透過光を用いて前記メインビームの反射光又は透過光に対するクロストークをキャンセルし、前記メインビームとサブビームの反射光又は透過光を用いて前記情報記録媒体上に記録された多値情報を再生する情報再生方法において、
前記サブビームの反射光又は透過光の量子化結果から求めるメインビームの反射光又は透過光に対するクロストークのキャンセル量を前記情報記録媒体の多値レベルの作り方に応じて切り換えることを特徴とする情報再生方法。
【請求項１０】
多値情報を記録した情報記録媒体上にメインビームとサブビームからなる複数のビームを相対的に動かし、前記メインビームを前記情報記録媒体上の再生するトラック上に照射し、前記サブビームを前記メインビームを照射したトラックに隣接するトラック上に照射し、前記サブビームの反射光又は透過光を用いて前記メインビームの反射光又は透過光に対するクロストークをキャンセルし、前記メインビームとサブビームの反射光又は透過光を用いて前記情報記録媒体上に記録された多値情報を再生する情報再生方法において、
前記サブビームの反射光又は透過光の量子化結果から求めるメインビームの反射光又は透過光に対するクロストークのキャンセル量を前記ビームの再生パワーに応じて切り換えることを特徴とする情報再生方法。
【発明の詳細な説明】
【０００１】
【発明の属する技術分野】
この発明は、複数のトラック状の記録エリアを持つ情報記録媒体に記録された多値情報を再生するときに、隣接トラックからのクロストークをキャンセルする情報再生装置並びにその情報再生方法に関する。
【０００２】
【従来の技術】
情報記録媒体の記録密度を向上させると隣接トラックからのデータの回り込み、所謂クロストークが大きくなり、情報を正しく再生できなくなってしまう。
そこで従来、トラッキング方式としてＤＰＰ法を用いてクロストーク・キャンセルを行っている下記のような情報再生装置があった。
【０００３】
光情報記録媒体の予め定められた格子点上にレーザ光照射により記録マークの大きさを多値のデータに対応させて２種類以上に変化させて記録し、再生を目的とする格子点に対して二次元的に最も隣接する格子点からの情報のもれ込み量を検出するための領域を記録媒体上に設け該領域内の格子点上にマーク群を記録し、そのマーク群を予め光スポットで走査して得られた検出値を基に、隣接するトラックからのクロストーク量と、隣接する格子点間での符号間干渉量を学習しておき、情報再生時には信号処理を用いて隣接するトラックからのクロストークを低減し、さらに目的トラック上の符号間干渉を低減することで、二次元的に隣接する格子点からの情報のもれ込みを低減する情報再生装置（例えば、特許文献１参照）。
【０００４】
このような情報再生装置によれば、メインビームもサブビームも同じレベル（光強度）で照射し、サブビームを使って隣接トラックの情報を再生し、隣接トラックの値からクロストークをキャンセルすることができる。
【０００５】
【特許文献１】
特開平８−１２４１６７号公報
【０００６】
【発明が解決しようとする課題】
しかしながら、従来の情報再生装置では、メインビームとサブビームを異なるレベル（光強度）で照射する場合、（例えば、記録も行う情報記録再生装置では記録媒体上のスポットの大きさも異なり、再生条件が変わってしまうので）クロストークが発生してしまうという問題があった。
通常、３つのビームに分けるためには１つのＬＤの発光を分割している。この場合、３つのビームの条件を同じにすると同じデータを３トラックにわたって記録してしまう。
【０００７】
すなわち、記録を考えると、メインのビームは記録に必要なパワーより大きいパワーが必要であるが、同時にサブのビームは記録が起こらないパワーより小さくなければならない。サブビームの強度はメインビームの強度の１／１０程度である必要がある。そのため、媒体上のスポットの大きさも異なり、再生条件が変わってしまう。
【０００８】
この発明は上記の課題を解決するためになされたものであり、多値情報の再生時に光り強度が記録時よりも弱いサブビームを使ってメインビームのクロストークをキャンセルすることを目的とする。
【０００９】
【課題を解決するための手段】
この発明は上記の目的を達成するため、次の（１）〜（５）の各情報再生装置を提供する。
（１）多値情報を記録した情報記録媒体上にメインビームとサブビームからなる複数のビームを相対的に動かし、上記メインビームを上記情報記録媒体上の再生するトラック上に照射し、上記サブビームを上記メインビームを照射したトラックに隣接するトラック上に照射し、上記サブビームの反射光又は透過光を用いて上記メインビームの反射光又は透過光に対するクロストークをキャンセルし、上記メインビームとサブビームの反射光又は透過光を用いて上記情報記録媒体上に記録された多値情報を再生する情報再生装置において、上記サブビームの反射光又は透過光を量子化するレベルの数を上記メインビームの反射光又は透過光を量子化するレベルの数よりも少なくする手段を設けた情報再生装置。
【００１０】
（２）（１）の情報再生装置において、上記複数のビームの遅延時間に相当するクロック数分遅延させ、上記サブビームの量子化結果に基づいて算出した所定値を上記メインビームの量子化結果に加算し、上記メインビームの反射光又は透過光に対するクロストークをキャンセルする手段を設けた情報再生装置。
（３）（１）の情報再生装置において、上記複数のビームの遅延時間に相当するクロック数分遅延させ、上記サブビームの量子化結果に基づいて算出した所定値を上記メインビームの量子化結果に加算し、上記メインビームの反射光又は透過光に対するクロストークをキャンセルする手段を設けた情報再生装置。
【００１１】
（４）多値情報を記録した情報記録媒体上にメインビームとサブビームからなる複数のビームを相対的に動かし、上記メインビームを上記情報記録媒体上の再生するトラック上に照射し、上記サブビームを上記メインビームを照射したトラックに隣接するトラック上に照射し、上記サブビームの反射光又は透過光を用いて上記メインビームの反射光又は透過光に対するクロストークをキャンセルし、上記メインビームとサブビームの反射光又は透過光を用いて上記情報記録媒体上に記録された多値情報を再生する情報再生装置において、上記サブビームの反射光又は透過光を上記メインビームの再生信号に同期させたクロック信号に基づいて量子化し、その量子化した連続する複数個の量子化レベルの平均値に基づいて上記メインビームの反射光又は透過光に対するクロストークをキャンセルする手段を設けた情報再生装置。
（５）（４）の情報再生装置において、上記連続する複数個の量子化レベルはキャンセルする信号の前後あわせて３個である情報再生装置。
【００１２】
また、次の（６）〜（１０）の各情報再生方法も提供する。
（６）多値情報を記録した情報記録媒体上にメインビームとサブビームからなる複数のビームを相対的に動かし、上記メインビームを上記情報記録媒体上の再生するトラック上に照射し、上記サブビームを上記メインビームを照射したトラックに隣接するトラック上に照射し、上記サブビームの反射光又は透過光を用いて上記メインビームの反射光又は透過光に対するクロストークをキャンセルし、上記メインビームとサブビームの反射光又は透過光を用いて上記情報記録媒体上に記録された多値情報を再生する情報再生方法において、上記サブビームの反射光又は透過光を量子化するレベルの数を上記メインビームの反射光又は透過光を量子化するレベルの数よりも少なくする情報再生方法。
【００１３】
（７）多値情報を記録した情報記録媒体上にメインビームとサブビームからなる複数のビームを相対的に動かし、上記メインビームを上記情報記録媒体上の再生するトラック上に照射し、上記サブビームを上記メインビームを照射したトラックに隣接するトラック上に照射し、上記サブビームの反射光又は透過光を用いて上記メインビームの反射光又は透過光に対するクロストークをキャンセルし、上記メインビームとサブビームの反射光又は透過光を用いて上記情報記録媒体上に記録された多値情報を再生する情報再生方法において、上記サブビームの反射光又は透過光を上記メインビームの再生信号に同期させたクロック信号に基づいて量子化し、その量子化した連続する複数個の量子化レベルの平均値に基づいて上記メインビームの反射光又は透過光に対するクロストークをキャンセルする情報再生方法。
【００１４】
（８）多値情報を記録した情報記録媒体上にメインビームとサブビームからなる複数のビームを相対的に動かし、上記メインビームを上記情報記録媒体上の再生するトラック上に照射し、上記サブビームを上記メインビームを照射したトラックに隣接するトラック上に照射し、上記サブビームの反射光又は透過光を用いて上記メインビームの反射光又は透過光に対するクロストークをキャンセルし、上記メインビームとサブビームの反射光又は透過光を用いて上記情報記録媒体上に記録された多値情報を再生する情報再生方法において、上記サブビームの反射光又は透過光の量子化結果から求めるメインビームの反射光又は透過光に対するクロストークのキャンセル量を上記情報記録媒体の種類毎に切り換える情報再生方法。
【００１５】
（９）多値情報を記録した情報記録媒体上にメインビームとサブビームからなる複数のビームを相対的に動かし、上記メインビームを上記情報記録媒体上の再生するトラック上に照射し、上記サブビームを上記メインビームを照射したトラックに隣接するトラック上に照射し、上記サブビームの反射光又は透過光を用いて上記メインビームの反射光又は透過光に対するクロストークをキャンセルし、上記メインビームとサブビームの反射光又は透過光を用いて上記情報記録媒体上に記録された多値情報を再生する情報再生方法において、上記サブビームの反射光又は透過光の量子化結果から求めるメインビームの反射光又は透過光に対するクロストークのキャンセル量を上記情報記録媒体の多値レベルの作り方に応じて切り換える情報再生方法。
【００１６】
（１０）多値情報を記録した情報記録媒体上にメインビームとサブビームからなる複数のビームを相対的に動かし、上記メインビームを上記情報記録媒体上の再生するトラック上に照射し、上記サブビームを上記メインビームを照射したトラックに隣接するトラック上に照射し、上記サブビームの反射光又は透過光を用いて上記メインビームの反射光又は透過光に対するクロストークをキャンセルし、上記メインビームとサブビームの反射光又は透過光を用いて上記情報記録媒体上に記録された多値情報を再生する情報再生方法において、上記サブビームの反射光又は透過光の量子化結果から求めるメインビームの反射光又は透過光に対するクロストークのキャンセル量を上記ビームの再生パワーに応じて切り換える情報再生方法。
【００１７】
【発明の実施の形態】
以下、この発明の実施形態を図面に基づいて具体的に説明する。
図１は、この発明の一実施形態である光ディスク装置の光ピックアップ装置における光学系の概略構成を示すブロック図である。
この光ピックアップ装置は、発光点を有する光源ユニット（ＬＤ）１とコリメートレンズ２とグレーティング８とビームスプリッタ３と対物レンズ４と検出レンズ６と受光素子（ＰＤ）７から構成されている。
【００１８】
光源ユニット１には半導体レーザチップがマウントされており、その半導体レーザチップから出射したビーム（光ビーム，レーザ光線）はコリメートレンズ２で略平行光に変換される。その後、グレーティング８でメインビームとサブビームに分離される。それらのビームは、ビームスプリッタ３を透過し、対物レンズ４によって集光され、情報記録媒体（光記録媒体，光ディスク）５の情報記録トラック上に照射される。
【００１９】
情報記録媒体５からの反射光は照射時の光路を逆行し、再び対物レンズ４を通ってビームスプリッタ３に到達する。その反射光は照射時とは異なり、ビームスプリッタ３によって反射されて受光素子７に導かれる。受光素子７はサーボ信号の生成方法によって適宜分割されており、ここで検知された情報記録媒体５からの反射光はトラックエラー信号，フォーカス信号，ウォブル信号，再生信号及びクロストーク信号として後続の制御回路に出力される。
【００２０】
図２は、上記光源ユニットから照射するビームの情報記録媒体上での位置関係を示す説明図である。同図ではこの実施形態に必要な部分だけを示している。
同図に破線で示す正方形は多値情報の一記録単位を表し、以後セルと呼ぶ。
なお、その破線で示す正方形は仮想のものであり、情報記録媒体上にセルと言う分離された領域があるわけではない。
【００２１】
メインビーム７０は情報記録媒体のトラック８０上に位置するように照射し、またクロストーク・キャンセル用のサブビーム（先行サブビーム）７１とサブビーム（後行サブビーム）７２はそれぞれ隣接トラック８１，８２上に配置されるように照射する。すなわち、メインビーム７０だけからトラッキングサーボのためのトラッキング信号を生成しても良い。または、トラッキング用のサブビームを別途使用しても良い。
トラックのセル内に大きさの違うマークが記録されており、このマークの大きさによって反射光量を変化させて多値情報（多値データ）を記録する。
【００２２】
図３は、上記情報記録媒体に記録された多値情報の再生波形の一例を示す波形図である。
上段に示した再生波形９０が理想値であり、中段に示すのが理想の再生クロック９１である。再生クロック９１の立ち上がりで再生波形９０の電圧が矩形波上に変化し、再生クロック９１の立ち下りで安定してレベルを判定することができる。これに対して実際の再生波形９２を下段に示す。実際の再生波形９２は図示の通り自トラックの再生信号だけでなく、隣接トラックの信号が漏れこんでくる。これは所謂「クロストーク」と呼んでいるものである。
【００２３】
図４は、この発明の一実施形態の光ディスク装置の構成を示すブロック図である。なお、ここでは情報記録媒体として光ディスクを例にして説明するが、本発明は情報記録媒体の記録方式によらない。
すなわち、光磁気，追記型の情報記録媒体，リライタブルな情報記録媒体でも同じ効果が得られる。また、同図にはこの発明の関係する部分を中心に示しており、この発明の説明に必要な最低限の構成を示している。
この光ディスク装置（光ディスクドライブ）は、上記光ピックアップ装置１１，アナログ回路１２，バッファメモリ１３，デジタル回路１４，インタフェースコントローラ１５，スピンドルモータ１６，サーボ回路１７，コントローラ１８からなる。
【００２４】
外部機器（例えばパソコン）からこの光ディスク装置にコマンドを送ると、この光ディスク装置のインタフェースコントローラ１５がそのコマンドを受け取り、コントローラ１８へそのコマンドを受け取った旨を報告する。
コントローラ１８はそのコマンドの内容を解釈し、そのコマンドの要求する動作を自装置に行わせ、その動作に係るレポートをインタフェースコントローラ１５を通して外部機器に行う。
【００２５】
また、情報記録媒体５に多値情報を記録する際は、外部機器からインタフェースコントローラ１５を通してデジタル回路１４を経由し、一旦、バッファメモリ１３に多値情報を記憶する。デジタル回路１４では、この多値情報に対して誤り訂正符号を付けたり同期信号を付加したり多値レベルへの変調符号に変換などの処理を行う。また、多値情報を書き込む情報記録媒体５上のアドレスは、情報記録媒体５上に予め書かれているアドレスを読んで記録時に指示されたアドレスに多値情報を記録する。
【００２６】
次に、アナログ回路１２で情報記録媒体５に記録するように光ピックアップ装置１１上の光源ユニット（ＬＤ）を多値レベルに発光させるように電流を制御して多値情報を記録する。
また、光ピックアップ装置１１はＬＤの出射光を情報記録媒体５に照射し、その反射光を受光素子（ＰＤ）で受けてアナログ回路１２で処理をし、フォーカスエラー信号やトラッキングエラー信号などを生成し、サーボ回路１７にそのフォーカスエラー信号やトラッキングエラー信号などを入力し、サーボ回路１７で光ピックアップ装置１１の位置や対物レンズ等の位置を制御する。このとき、情報記録媒体５は通常スパイラルの溝もしくはデータ配列を持っている。そのため、時間の経過と共に（例えば、外周から内周でも良い）内周から外周に移動し、トラッキング制御できる範囲を超えてしまう。そこで、トラッキングサーボ信号から光ピックアップ装置（ＰＵ）１１の全体を移動させて常に対物レンズ等の位置が中立に近い形で保てるようにキャリトラと呼ばれる制御を行っている。
【００２７】
多値情報の再生の場合は、光ピックアップ装置１１の出力をアナログ回路１２で量子化及びＰＬＬ等を用いてクロック抽出を行い、デジタル回路１４で同期検出，復調，誤り訂正などの処理を行い、バッファメモリ１３に貯える。その後、インタフェースコントローラ１５を通して外部機器に多値情報を転送している。この光ピックアップ装置１１の信号からは、先行するサブビームとメインビームと後行するサブビームの３つの信号が得られる。
【００２８】
ここで、メインビームとサブビームのそれぞれのビームを復調し、時間軸を調整して影響を排除すると、多値情報の記録を考えた場合、メインビームは記録に必要なパワーよりも大きいパワーが必要であるが、同時にサブビームは記録が起こらないパワーよりも小さくなければならない。その小さいパワーとしては、サブビームの光強度をメインビームの強度の１／１０程度にする必要がある。そのため、情報記録媒体上のスポットの大きさも異なり、再生条件が変わってしまい、サブビームでの再生条件とメインビームの再生条件は違ってしまう。また、隣接トラックに影響を与える場合は、マークが大きい場合、（反射率が小さい方）に影響が大きい。そして、マークが大きいとクロストークはマークが大きい方へ影響される。そのようなことから、必ずしもサブビームは正確に再生する必要もなく、影響度合いが大きい，小さい，無いなどの多値情報の多値レベルよりも少ない段階に分ければよい。
【００２９】
図５は、上記アナログ回路１２のこの発明の請求項１，６に係る内部構成を示すブロック図である。
このアナログ回路１２は、光ピックアップ装置１１からのＲＦ信号を所定のゲインで増幅し、その先行サブビームの信号はＥＱ回路２０によって波形整形し、ＡＤ回路２４で量子化してデジタル信号に変換し、ディレイメモリ２７を介して判定回路２９へ入力する。また、メインビームの信号はＥＱ回路２１によって波形整形し、ＰＬＬ回路２３によるクロック信号に基づいてＡＤ回路２５で量子化してデジタル信号に変換し、ディレイメモリ２８を介して判定回路２９へ入力する。さらに、後行サブビームの信号はＥＱ回路２２によって波形整形し、ＡＤ回路２６で量子化してデジタル信号に変換し、判定回路２９へ入力する。
そして、多値情報を再生する段階で、その影響度合いを見ながら判定回路２９においてメインビームのレベル判定を行えば良い。
【００３０】
判定回路２９における多値レベル判定処理は公知技術を用いればよい。
例えば、次の（１）〜（４）の判定方法を用いるとよい。
（１）多値レベル判定の対象となる注目セルに先行する先行セル，その先行セルに続行する続行セル，又は先行セル及び続行セルの多値判定値を参照して注目セルの多値レベルを判定する。
（２）多値レベル判定の対象となる注目セルに先行する先行セルの多値レベルを参照して注目セルの多値レベルを判定する。
（３）多値レベル判定の対象となる注目セルに先行する先行セルに続行する続行セルの多値レベルを参照して注目セルの多値レベルを判定する。
（４）多値レベル判定の対象となる注目セルに先行する先行セル及びその先行セルに続行する続行セルの多値レベルを参照して注目セルの多値レベルを判定する。
【００３１】
このようにして、多値情報の再生時に光り強度が記録時よりも弱いサブビームを使ってクロストークをキャンセルすることができ、サブビームの量子化レベル数がメインビームに比べて少ないので光ディスク装置の小型化，低コストを実現することができる。
【００３２】
図６は、この発明の請求項２に係るキャンセル回路と判定回路の構成を示すブロック図である。
また、上記判定回路２９に代えて図６に示した係数算出部３０，加算回路３１，係数算出部３２からなるキャンセル回路を前段に設けた判定回路３３にしてもよい。このキャンセル回路は、係数算出部３０によって先行サブビームのレベルからメインビームのキャンセル量を、係数算出部３２によって後行サブビームのレベルからメインビームのキャンセル量をそれぞれ求め、加算回路３１においてメインビームに上記両キャンセル量を加算して判定回路３３へ入力する。判定回路３３は、上述したいずれかの判定方法によって多値レベルを判定する。
【００３３】
したがって、このレベル判定の際にサブビームの量子化レベルに対応してメインビームの値に予め決められた量を加えることにより、その値を用いて従来のレベル判定を行うことができる。
このようにして、サブビームのレベルからキャンセル量を求めてメインビームに加算してメインビームのクロストークをキャンセルするので、簡単な回路構成でメインビームのクロストークの除去を実現することができる。
【００３４】
図７は、この発明の請求項３に係るキャンセル回路と判定回路の構成を示すブロック図である。
また、上記判定回路２９に代えて図７に示した係数算出部４０，乗算回路４１，係数算出部４２からなるキャンセル回路を前段に設けた判定回路４３にしてもよい。このキャンセル回路は、係数算出部４０によって先行サブビームのレベルからメインビームのキャンセル量を、係数算出部４２によって後行サブビームのレベルからメインビームのキャンセル量をそれぞれ求め、乗算回路４１においてメインビームに上記両キャンセル量を乗算して判定回路４３へ入力する。判定回路４３は、上述したいずれかの判定方法によって多値レベルを判定する。
【００３５】
したがって、このレベル判定の際にサブビームの量子化レベルに対応してメインビームの値に予め決められた乗数を掛けることにより、その値を用いて従来のレベル判定を行うことができる。
このようにして、サブビームのレベルからキャンセル量を求めてメインビームに乗算してメインビームのクロストークをキャンセルするので、レベル変動があった場合でもメインビームのクロストークを確実に除去することができる。
【００３６】
図８は、図５の判定回路２９の前段に設けるこの発明の請求項４，５，７に係る平均値化回路の構成を示すブロック図である。
また、隣接トラックと再生するトラックでのデータの位相は完全に合っているとは限らない。しかし、多値記録の場合はクロストークがレベルで影響するだけであるので、前後１クロック分を平均化して処理を行っても影響が少ない。
そこで、判定回路２９の前段に先行サブビーム，メインビーム，後行サブビームのそれぞれを平均値化する平均値化回路を設ける。この平均値化回路は、所定のクロックでデータを保持する３つのレジスタ５０，５１，５２によってビームの信号に対して３クロック分を平均化し、平均値算出部５３によって平均値を算出して出力し、判定回路２９へ入力する。
【００３７】
このようにして、サンプリングのクロックをメイン信号から生成しても、非同期な隣接トラックの影響をキャンセルすることができる。
また、信号を平均するのは前後合わせて３つで実現できるので、回路規模を小さくすることができる。
さらに、サブビームのレベルからキャンセル量を求めて加算してキャンセルするので、簡単な回路構成で実現することができる。
【００３８】
図９は、この発明の請求項８に係る係数切換機能付きキャンセル回路と判定回路の構成を示すブロック図である。
また、係数を情報記録媒体の種類（例えば、ＲＯＭとかＲメディアＲＷメディア）毎に切り換えれば、よりメインビームのクロストークをキャンセルすることができるようになる。
【００３９】
この係数切換機能付きキャンセル回路は、情報記録媒体の種類毎にコントローラ１８から係数算出部６０と６２にそれぞれメディア切り換え信号を出して係数を切り換え、係数算出部６０はその切り換えた係数に基づいて先行サブビームのレベルからメインビームのキャンセル量を、係数算出部６２はその切り換えた係数に基づいて後行サブビームのレベルからメインビームのキャンセル量をそれぞれ求め、乗算回路６１においてメインビームに上記両キャンセル量を乗算して判定回路６３へ入力する。判定回路６３は、上述したいずれかの判定方法によって多値レベルを判定する。
このようにして、情報記録媒体の種類からキャンセル量を求めているので、ＲＯＭやＲＷ／Ｒメディアなどの複数の種類のメディアにも対応することができる。
【００４０】
同様に、この発明の請求項９に係る係数切換機能として、情報記録媒体上のマークの形状で係数を切り換えることもできる。図２には三日月型のマークの例を示したが、円形のマークでも係数を切り換えることによって同じように実現することができる。
このようにして、多値レベルを作るためのマークの形状などでキャンセル量を求めているので、三日月型や円形などの複数の種類のメディアに対応することができる。
【００４１】
また、再生パワーによりビーム形状が変化し、強いパワーではビーム形状が広がってクロストークを多く拾ってしまう。そこで、この発明の請求項９に係る機能として、強いパワーで係数を切り換えてもよい。
このようにして、再生ビームの発光パワーによってキャンセル量を求めているので、パワー変動によるビーム形状の変化に対応することができる。
【００４２】
【発明の効果】
以上説明してきたように、この発明の情報再生装置と情報再生方法によれば、多値情報の再生時に光り強度が記録時よりも弱いサブビームを使ってメインビームのクロストークをキャンセルすることができる。
【図面の簡単な説明】
【図１】この発明の一実施形態である光ディスク装置の光ピックアップ装置における光学系の概略構成を示すブロック図である。
【図２】図１の光源ユニットから照射するビームの情報記録媒体上での位置関係を示す説明図である。
【図３】図１の情報記録媒体に記録された多値情報の再生波形の一例を示す波形図である。
【図４】この発明の一実施形態の光ディスク装置の構成を示すブロック図である。
【図５】図４のアナログ回路１２のこの発明の請求項１，６に係る内部構成を示すブロック図である。
【図６】この発明の請求項２に係るキャンセル回路と判定回路の構成を示すブロック図である。
【図７】この発明の請求項３に係るキャンセル回路と判定回路の構成を示すブロック図である。
【図８】図５の判定回路２９の前段に設けるこの発明の請求項４，５，７に係る平均値化回路の構成を示すブロック図である。
【図９】この発明の請求項８に係る係数切換機能付きキャンセル回路と判定回路の構成を示すブロック図である。
【符号の説明】
１：光源ユニット　　　　　２：コリメートレンズ
３：ビームスプリッタ　　　４：対物レンズ
５：情報記録媒体　　　　　６：検出レンズ
７：受光素子　　　　　　　８：グレーティング
１１：光ピックアップ装置　１２：アナログ回路
１３：バッファメモリ　　　１４：デジタル回路
１５：インタフェースコントローラ
１６：スピンドルモータ　　１７：サーボ回路
１８：コントローラ　２０，２１，２２：ＥＱ回路
２３：ＰＬＬ回路　　２４，２５，２６：ＡＤ回路
２７，２８：ディレイメモリ
２９，３３，４３，６３：判定回路
３０，３２，４０，４２，６０，６２：係数算出部
３１：加算回路　　　　　４１，６１：乗算回路
５０，５１，５２：レジスタ
５３：平均値算出部　　　７０：メインビーム
７１，７２：サブビーム　８０〜８２：トラック
【図１】
2004111002.tif 000003
【図２】
2004111002.tif 000004
【図３】
2004111002.tif 000005
【図４】
2004111002.tif 000006
【図５】
2004111002.tif 000007
【図６】
2004111002.tif 000008
【図７】
2004111002.tif 000009
【図８】
2004111002.tif 000010
【図９】
2004111002.tif 000011